(57)【要約】【課題】外扉の主ロック機構に連動動作する補助ロックを備えて外扉と本体キャビネットとの間を二重に鎖錠し、しかも補助ロックの存在が外部から見えないようにして防盗性,操作性を高めた補助ロック付きの扉ロック装置を提供する。【解決手段】外扉２にレバーハンドル形の錠付きロック機構３，および該機構のスイングカム３ｃに連係させた上下動式のスライダーロック４を備え、扉を閉じて施錠した状態で前記スライダーロックを外箱１の前面に設けた掛け金５に係止して外扉を閉位置に鎖錠するようにした自動販売機の扉ロック装置において、そのバックアップ手段として、前記掛け金と別な位置に、扉ラッチ機構のハンドル操作に連動して本体キャビネットの外箱に係止，釈放する補助ロック７を設けるものとし、該補助ロックは、扉裏面側に配してその連係脚部７ａをスライダーロックに連係させ、かつスライダーロックの上下動に連動して左右の係止，釈放位置へスライド可能に案内支持したロック板となし、外扉を閉じた施錠状態で前記ロック板を外箱の前縁壁部１ｂに内側から係止させる。【選択図】        図１
2005234895.tif 000002
【特許請求の範囲】
【請求項１】
本体キャビネットの前面外扉を閉位置に鎖錠する自動販売機の扉ロック装置であって、外扉にレバーハンドル形の錠付きロック機構，および該ロック機構のスイングカムに連係させた上下動式のスライダーロックを備え、扉を閉じて施錠した状態で前記スライダーロックを本体キャビネットの外箱前面に設けた掛け金に係止して外扉を閉位置に鎖錠するようにしたものにおいて、
外扉の鎖錠バックアップ手段として、前記掛け金と別な位置に、ハンドル操作に連動して本体キャビネットの外箱に係止する補助ロックを設けるものとし、該補助ロックは、扉裏面側に配してその連係脚部を前記スライダーロックに連係し、かつスライダーロックの上下動に従動して左右の係止，釈放位置へスライド可能に案内支持したロック板からなり、外扉を閉じて施錠した状態で前記ロック板を本体キャビネットの外箱前縁に内側から係止させるようにしたことを特徴とする自動販売機の扉ロック装置。
【請求項２】
請求項１に記載の扉ロック装置において、補助ロックを係止位置と釈放位置との間で左右に案内するガイド手段として、ロック板の連係脚部を外扉の扉裏面に形成した傾斜方向のガイド溝穴を通してスライダーロックに連係させたことを特徴とする自動販売機の扉ロック装置。
【請求項３】
請求項１に記載の扉ロック装置において、補助ロックを係止位置と釈放位置との間で左右に案内するガイド手段として、ロック板に傾斜方向のガイド溝穴を開口し、該ガイド溝穴に通した段付ネジを介して案内支持するようにしたことを特徴とする自動販売機の扉ロック装置。
【発明の詳細な説明】
【技術分野】
【０００１】
本発明は、自動販売機の前面に配した片開き式の外扉を閉位置に鎖錠する扉ロック装置に関する。
【背景技術】
【０００２】
自動販売機の扉ロック装置として、本体キャビネットの前面に配した片開き式外扉にレバーハンドル形の錠付きロック機構，および該ロック機構のスイングカムに連係させた上下動式のスライダーロックを備え、扉を閉じた施錠状態では前記スライダーロックを本体キャビネットの外箱前面に設けた掛け金に係止して外扉を閉位置に鎖錠するようにした構成のものが周知である（例えば、特許文献１参照）。
また、前記構成の扉ロック装置を破壊行為から防護して自動販売機の防盗性を高める対策として、外扉の扉ロック側の側縁に防盗カバーを付設して外扉と本体キャビネットの外箱との間の隙間を外側から覆うようにした構成のものも知られている（例えば、特許文献２参照）。
【特許文献１】特許第３１４６８２０号公報
【特許文献２】特開平１１−５３６３１号公報
【発明の開示】
【発明が解決しようとする課題】
【０００３】
ところで、扉ロック装置を破壊行為から防護する対策として前記特許文献２のように防盗カバーを追加装備しても、バール，電動鋸どの工具を使った破壊行為に対しては十分とは言えない。そこで、従来では前記の扉ロック装置と別に独立した錠付きロックを設ける、あるいは外扉と本体キャビネットとの間をチェーンでロックするなどして扉を二重に施錠するなどの防盗対策が採られている。
しかしながら、これらの防盗対策では扉の開け閉めの都度、各扉ロックを個別に解錠，施錠する必要があって操作が面倒である。また、個々の扉ロックの設置箇所が外部から一見して判るため、扉ロックを狙った破壊行為を受け易いといった問題もある。
本発明は上記の点に鑑みなされたものであり、その目的は前記課題を解決し、外扉の主ロック機構に連動して係止,釈放動作する補助ロックを備えて外扉と本体キャビネットとの間を二重に鎖錠し、しかも補助ロックの存在が外部から見えないようにして防盗性,操作性を高めた自動販売機の扉ロック装置を提供することにある。
【課題を解決するための手段】
【０００４】
上記目的を達成するために、本発明によれば、外扉にレバーハンドル形の錠付きロック機構，および該ロック機構のスイングカムに連係させた上下動式のスライダーロックを備え、扉を閉じて施錠した状態で前記スライダーロックを本体キャビネットの外箱前面に設けた掛け金に係止して外扉を閉位置に鎖錠するようにした自動販売機の扉ロック装置において、
外扉の鎖錠バックアップ手段として、前記掛け金と別な位置に、扉ロック機構のハンドル操作に連動して本体キャビネットの外箱に係止，釈放する補助ロックを設けるものとし、該補助ロックは、扉裏面側に配してその連係脚部を前記スライダーロックに連係させ、かつスライダーロックの上下動に従動して係止，釈放位置へ左右スライド可能に案内支持したロック板となし、外扉を閉じた施錠状態で前記ロック板を本体キャビネットの外箱前縁に内側から係止させるようにする（請求項１）。
【０００５】
また、前記構成において、スライダーロックの上下動に連動して補助ロックを左右の係止位置と釈放位置との間に移動するガイド手段を次記のような実施態様で構成することができる。
（１）ロック板に設けた連係脚片を外扉の扉裏面に形成した傾斜方向のガイド溝穴を通してスライダーロックに連係させ、スライダーロックの上下動に連動してロック板を左右の係止位置，釈放位置に前進，後退させるようにする（請求項２）。
（２）前項（１）とは逆に、ロック板に傾斜方向のガイド溝穴を開口し、該ガイド溝穴に通した段付ネジを介してロック板を左右の係止，釈放位置に向けてスライド可能に案内支持するようにする（請求項３）。
【発明の効果】
【０００６】
上記の構成によれば、外扉を閉じてスライダーロックが本体キャビネットの掛け金に係止させると、このスライダーロックの動きに連動して補助ロックのロック板が釈放位置から係止位置にスライド移動し、本体キャビネットの外箱前縁に内側から直接係合して外扉を二重にロックする。しかも、この補助ロックは外扉の裏側に隠れて外部からは全く見えることはない。したがって、万が一の破壊行為により、外扉と本体キャビネットとの間の隙間から電動鋸などを使ってスライダーロックを係止している掛け金が切断されたとしても、この掛け金とは別な補助ロックが外扉と本体キャビネットの外箱との間を係止しているので外扉を直ちに開けることができず、これにより高い防盗性が確保できる。
なお、扉開放時に管理者がキーを使って扉ロック機構を開錠した上で、ハンドル操作によりスライダーロックを押し上げて掛け金から外すと、同時に補助ロックは係止位置から釈放位置に後退して本体キャビネットの外箱前縁から離脱して係止状態が釈放されるので、これにより外扉を自由に開くことができる。
【発明を実施するための最良の形態】
【０００７】
以下、本発明の実施の形態を図示実施例に基づいて説明する。
【実施例１】
【０００８】
図１〜図４は本発明の請求項１，２に対応する実施例を示すものである。各図において、１は本体キャビネットの外箱、２は外扉、３は外扉２に装備したレバーハンドル形の錠付き扉ロック機構、３ａはハンドル、３ｂはシリンダ錠、３ｃはハンドル３ａの後端に連結したスイングカム、４は前記スイングカム３ｃに連係して外扉２の内部に敷設した上下動式のスライダーロック（Ｕチャンネル形）、５は外箱１の補強金１ａに固定して外箱１の前縁から前方に突き出した掛け金、６は外箱１と外扉２との間の隙間を側方から覆うように外扉２の裏面側側縁（扉ロック側）に固着した防盗カバー（特許文献２参照）、７がこの発明により新しく装備した補助ロックであり、該補助ロック７は扉ロック機構３のスイングカム３ｃの側方に並べて前記した掛け金５と異なる高さ箇所に設置されている。
ここで、補助ロック７のロック板は、図３（ａ），（ｂ）で示すような異形形状の板金加工品（鋼板製）で、コ字形のフック部から前方に舌片状の連係脚部７ａが突き出した構造になる。また、図２で示すように、スライダーロック４の背面には前記補助ロック７の連係脚部７ａが嵌入する幅広な連係穴７ａを開口し、さらにこの連係穴７ａと相対的に位置を合わせて外扉２の裏板およびここに重ねて付設した防盗カバー６の基部には円弧状に傾斜したガイド溝穴６ａが形成されている。なお、図中に表した前記連係穴７ａの穴幅Ａは後記する補助ロックの係止，釈放位置に対応した左右の移動範囲に対応している。
【０００９】
そして、外扉２に補助ロック７を組み付けるには、前記の連係脚部７ａを外扉２の裏面側から前記ガイド溝穴６ａおよび連係穴４ａに嵌挿した上で、その先端を扉ロック機構３のスイングカム３ｃの上縁に載せて連係するようにしている。なお、連係脚部７ａの先端はＬ字形に屈曲しており、図１に示す外扉の鎖錠状態では連係脚部７ａの先端屈曲部がスイングカム３ｃの上縁に形成した凸部に係合して補助ロック７が背後に抜けないように保持している。
上記の構成により、外扉２を閉じてスライダーロック４を外箱１の掛け金７に係止した扉の鎖錠状態では、図１（ｂ）で示すように外扉２の裏面側に突き出たコ字形の補助ロック７が外箱１の前縁内側に入り込んでその前縁壁部１ｂに係合し、かつこの位置で連係脚部７ａが前記ガイド溝穴７６ａとスライダーロック４の連係穴４ａとの重ねり位置に拘束されて左右へ動かないように保持されている。また、この補助ロック７の係止状態では、補助ロック７の連係脚部７ａの先端がスイングカム３ｃに係合してロック板の抜け出しを阻止している。
【００１０】
一方、外扉２を開放する際に、キー３ｄを使って扉ロック機構３１のシリンダ錠３ｂを解錠した上で、図４（ａ），（ｂ）で示すようにハンドル３ａを反時計方向に回すと、これに連動して後端のスイングカム３ｃがスライダーロック４を押し上げて掛け金５（図１参照）との係止状態を解除する。また、スライダーロック４が上昇移動すると、スライダーロック４に連係した補助ロック７の連係脚部７ａがガイド溝穴６ａに沿って斜め上方にスライド移動し、ロック板は外箱１の前縁壁部１ｂから抜け出て釈放位置に後退する（図４（ｂ）の矢印Ｐ）。これにより、続いてハンドル３ａを手前に引けば、外扉２を自由に開くことができるようになる。
つまり、外扉２を閉じてハンドル３を施錠した状態では、扉がスライダーロック４／掛け金５，および補助ロック７／外箱１の前縁壁部１ｂとの係止により二重にロックされることになる。しかも、補助ロック７は掛け金５と異なる高さ位置に設置されており、かつ扉の裏面側に隠れてその存在が外側からは目視認識できない。
【００１１】
したがって、自動販売機の機内に保管されている金銭，商品を狙って加えた破壊行為により、外扉２のスライダーロック４に係止している掛け金５が電動鋸などの工具で切断されたとしても、外箱１と外扉２との間が補助ロック７により係止状態にロックされているので直ちに扉を開くことができず、これにより自動販売機の防盗性が向上する。
しかも、補助ロック７は、ハンドル式の錠付き扉ロック機構３の操作に連動して係止，釈放動作するので、従来の防盗対策のように外扉に独立した錠付き補助ロックを追加装備する、あるいはチェーンロックを使って外扉を二重にロックする方式と比べて、扉ロックの施錠，解錠の操作が一ヶ所で済むほか、補助ロック７は外扉の背後に隠れて外部から見えないので、補助ロック７に対して壊行為が直接加えられる可能性は少ない。
なお、図示実施例では、外扉２に防盗カバー６（特許文献２参照）を付設し、この防盗カバー６の基板部分にガイド溝穴６ａを形成して補助ロック７を係止，釈放位置にガイドするようにしているが、防盗カバー６を設けない場合には、外扉２の扉裏面に補助ロックのガイド溝穴を開口することで対応できる。
【実施例２】
【００１２】
次に、本発明の請求項３に対応する応用実施例の構成を図５，図６に示す。すなわち、先記実施例１では、補助ロック７を係止位置／釈放位置にガイドするための手段として、外扉２の裏面に傾斜したガイド溝穴６ｂを形成し、このガイド溝穴６ｂに補助ロック７の連係脚部７ａを嵌挿して係止，釈放位置に移動ガイドするようにしているが、この実施例では図６で示すように補助ロック７のロック板自身に傾斜したガイド溝穴７ｂを開口し、このガイド溝穴７ｂに嵌挿した段付きネジ８を外扉２の裏面に固定してガイドするようにしている。なお、そのほかの構造は実施例１と同様である。
この構成で、先記実施例１と同様に、外扉２の開閉時における扉ロック機構３のハンドル操作でスライダーロック４を上げ下げし、これに連動して補助ロック７が上下すると、補助ロック７はガイド溝穴７ａ／段付きネジ８にガイドされて係止位置，釈放位置にスライド移動し、外扉２が閉じた状態では図１と同様に外箱１の前縁壁部１ｂに係止し扉を二重にロックする。
【図面の簡単な説明】
【００１３】
【図１】本発明の実施例１に対応する扉ロック装置の施錠状態を表す図で、（ａ），（ｂ）はそれぞれ主要部機構の正面図，および平面図
【図２】図１のスライダーロックに形成した連係穴とその背後の防盗カバーに形成したガイド溝穴との相対な関係位置を表す図
【図３】図１における補助ロックの部品構造図で、（ａ），（ｂ）はそれぞれ正面図，および平面図
【図４】図１の扉ロック装置の解錠状態を表す図で、（ａ），（ｂ）はそれぞれ主要部機構の正面図，および平面図
【図５】本発明の実施例２に対応する扉ロック装置の正面図
【図６】図５における補助ロックの部品構造図で、（ａ），（ｂ）はそれぞれ正面図，および側面図
【符号の説明】
【００１４】
１    本体キャビネットの外箱
１ａ  前縁壁部
２    外扉
３    扉ロック機構
３ａ  ハンドル
３ｂ  シリンダ錠
３ｃ  スイングカム
４    スライダーロック
４ａ  連係穴
５    掛け金
６    防盗カバー
６ａ  ガイド溝穴
７    補助ロック
７ａ  連係脚部
【図１】
2005234895.tif 000003
【図２】
2005234895.tif 000004
【図３】
2005234895.tif 000005
【図４】
2005234895.tif 000006
【図５】
2005234895.tif 000007
【図６】
2005234895.tif 000008